(57)【要約】【課題】  サイドウォール部の外表面に突起状表示物を設けるにあたって、突起状表示物の視認性を良好に維持しながら、突起状表示物の近傍でのひび割れの発生を効果的に抑制することを可能にした空気入りタイヤ及びタイヤ成形用金型を提供する。【解決手段】  トレッド部１とサイドウォール部２とビード部３とを備えた空気入りタイヤにおいて、少なくとも一方のサイドウォール部２の外表面に文字、記号又は図形を現した突起状表示物１０を有しており、突起状表示物１０がタイヤ最大幅位置ＰＷよりもタイヤ径方向外側に位置する場合は、突起状表示物１０の突出高さＨがタイヤ径方向外側に向かって漸増し、突起状表示物１０がタイヤ最大幅位置ＰＷよりもタイヤ径方向内側に位置する場合は、突起状表示物１０の突出高さＨがタイヤ径方向内側に向かって漸増し、かつ突起状表示物１０の突出高さＨが０．３ｍｍ〜５．０ｍの範囲にあり、突起状表示物１０の突出高さＨの変化量が０．３ｍｍ以上である。【選択図】  図１
2017132421.tif 000002
【特許請求の範囲】
【請求項１】
タイヤ周方向に延在して環状をなすトレッド部と、該トレッド部の両側に配置された一対のサイドウォール部と、これらサイドウォール部のタイヤ径方向内側に配置された一対のビード部とを備えた空気入りタイヤにおいて、少なくとも一方のサイドウォール部の外表面に文字、記号又は図形を現した突起状表示物を有しており、前記突起状表示物がタイヤ最大幅位置よりもタイヤ径方向外側に位置する場合は、前記突起状表示物の突出高さがタイヤ径方向外側に向かって漸増し、前記突起状表示物がタイヤ最大幅位置よりもタイヤ径方向内側に位置する場合は、前記突起状表示物の突出高さがタイヤ径方向内側に向かって漸増し、かつ前記突起状表示物の突出高さが０．３ｍｍ〜５．０ｍの範囲にあり、前記突起状表示物の突出高さの変化量が０．３ｍｍ以上であることを特徴とする空気入りタイヤ。
【請求項２】
前記突起状表示物がタイヤ最大幅位置よりもタイヤ径方向外側の領域とタイヤ最大幅位置よりもタイヤ径方向内側の領域にそれぞれ配置されていることを特徴とする請求項１に記載の空気入りタイヤ。
【請求項３】
前記突起状表示物がその縁部に沿って形成された輪郭部と該輪郭部により囲まれていて該輪郭部から窪んだ表示面とから構成されることを特徴とする請求項１又は２に記載の空気入りタイヤ。
【請求項４】
前記サイドウォール部における前記突起状表示物と隣接する部位に互いに平行に延在する複数本の凹溝を含むセレーション加工部を有し、前記突起状表示物の突出高さが相対的に大きい部位では前記凹溝の深さが相対的に小さくなっており、前記突起状表示物の突出高さが相対的に小さい部位では前記凹溝の深さが相対的に大きくなっていることを特徴とする請求項１〜３のいずれかに記載の空気入りタイヤ。
【請求項５】
請求項１〜４のいずれかに記載の空気入りタイヤを成形するための金型であって、その成形面に前記突起状表示物に対応する凹部を有し、該凹部の深さが最も大きくなる部位にエア抜き用のベントホールを有することを特徴とするタイヤ成形用金型。
【発明の詳細な説明】
【技術分野】
【０００１】
本発明は、サイドウォール部の外表面に突起状表示物を有する空気入りタイヤ及びタイヤ成形用金型に関し、更に詳しくは、突起状表示物の視認性を良好に維持しながら、突起状表示物の近傍でのひび割れの発生を効果的に抑制することを可能にした空気入りタイヤ及びタイヤ成形用金型に関する。
【背景技術】
【０００２】
空気入りタイヤにおいて、サイドウォール部の外表面にはブランドネームやプロダクトネームが表示されるが、これらは文字、記号又は図形を現した突起状表示物から構成されるのが一般的である（例えば、特許文献１〜３参照）。このようなブランドネームやプロダクトネームはサイドウォール部の外表面において明瞭に表示されることが求められている。特に、スポーツ・ユーティリティー・ビークル（ＳＵＶ）系の車両に装着される外径が大きい偏平タイヤにおいては、ブランドネームやプロダクトネームを顕在化させることが市場から求められている。
【０００３】
そのため、突起状表示物の大きさや彫りの深さを強調する必要があるが、突起状表示物の寸法を過度に大きくすると、サイドウォール部のゴム容量についてタイヤ周方向の不均一性が増大し、その結果、経年劣化に伴って突起状表示物の近傍にひび割れが生じ易くなるという問題がある。
【先行技術文献】
【特許文献】
【０００４】
【特許文献１】特許第３６５２８０９号公報
【特許文献２】特許第５３９１２４９号公報
【特許文献３】特開２０１３−６０１８１号公報
【発明の概要】
【発明が解決しようとする課題】
【０００５】
本発明の目的は、サイドウォール部の外表面に突起状表示物を設けるにあたって、突起状表示物の視認性を良好に維持しながら、突起状表示物の近傍でのひび割れの発生を効果的に抑制することを可能にした空気入りタイヤ及びタイヤ成形用金型を提供することにある。
【課題を解決するための手段】
【０００６】
上記目的を達成するための本発明の空気入りタイヤは、タイヤ周方向に延在して環状をなすトレッド部と、該トレッド部の両側に配置された一対のサイドウォール部と、これらサイドウォール部のタイヤ径方向内側に配置された一対のビード部とを備えた空気入りタイヤにおいて、少なくとも一方のサイドウォール部の外表面に文字、記号又は図形を現した突起状表示物を有しており、前記突起状表示物がタイヤ最大幅位置よりもタイヤ径方向外側に位置する場合は、前記突起状表示物の突出高さがタイヤ径方向外側に向かって漸増し、前記突起状表示物がタイヤ最大幅位置よりもタイヤ径方向内側に位置する場合は、前記突起状表示物の突出高さがタイヤ径方向内側に向かって漸増し、かつ前記突起状表示物の突出高さが０．３ｍｍ〜５．０ｍの範囲にあり、前記突起状表示物の突出高さの変化量が０．３ｍｍ以上であることを特徴とするものである。
【０００７】
また、上記目的を達成するための本発明のタイヤ成形用金型は、上記空気入りタイヤを成形するための金型であって、その成形面に前記突起状表示物に対応する凹部を有し、該凹部の深さが最も大きくなる部位にエア抜き用のベントホールを有することを特徴とするものである。
【発明の効果】
【０００８】
本発明では、サイドウォール部の外表面に突起状表示物を設けるにあたって、突起状表示物がタイヤ最大幅位置よりもタイヤ径方向外側に位置する場合は、突起状表示物の突出高さがタイヤ径方向外側に向かって漸増し、突起状表示物がタイヤ最大幅位置よりもタイヤ径方向内側に位置する場合は、突起状表示物の突出高さがタイヤ径方向内側に向かって漸増する構造を採用する。ここで言うタイヤ最大幅位置とは、突起状表示物を含まないタイヤの断面幅が最も大きくなる位置である。
【０００９】
空気入りタイヤが転動する際には、サイドウォール部のタイヤ最大幅位置付近において相対的に大きな歪を生じるが、突起状表示物をタイヤ最大幅位置に近い側ほど低くすることにより、サイドウォール部の大きな歪を生じる部位におけるゴム容量のタイヤ周方向の不均一性を低減し、突起状表示物の近傍での応力集中を回避し、ひび割れの発生を効果的に抑制することができる。
【００１０】
また、突起状表示物はタイヤ最大幅位置から遠い側ほど高くなった構造を有しているので、サイドウォール部に形成された突起状表示物を視認する際に視認者からの俯角が大きくなり、しかも突起状表示物の陰が形成される方向に向かって突起状表示物による段差が大きくなるため、突起状表示物の視認性を良好に維持することができる。これにより、突起状表示物の視認性を良好に維持しながら、突起状表示物の近傍でのひび割れの発生を効果的に抑制することが可能になる。
【００１１】
本発明において、突起状表示物がタイヤ最大幅位置よりもタイヤ径方向外側の領域とタイヤ最大幅位置よりもタイヤ径方向内側の領域にそれぞれ配置されていることが好ましい。これにより、突起状表示物の視認性の改善効果を最大限に享受することができる。
【００１２】
また、突起状表示物がその縁部に沿って形成された輪郭部と該輪郭部により囲まれていて該輪郭部から窪んだ表示面とから構成されることが好ましい。突起状表示物が輪郭部と表示面とを有する場合においても、突起状表示物の視認性を良好に維持しながら、突起状表示物の近傍でのひび割れの発生を効果的に抑制することができる。
【００１３】
更に、本発明の空気入りタイヤは、サイドウォール部における突起状表示物と隣接する部位に互いに平行に延在する複数本の凹溝を含むセレーション加工部を有し、突起状表示物の突出高さが相対的に大きい部位では凹溝の深さが相対的に小さくなっており、突起状表示物の突出高さが相対的に小さい部位では凹溝の深さが相対的に大きくなっていることが好ましい。このように突起状表示物の突出高さの増減とセレーション加工部を構成する凹溝の深さの増減とを逆の関係にすることにより、突起状表示物の視認性を高めることが可能になる。
【００１４】
また、本発明の空気入りタイヤを成形するための金型は、その成形面に突起状表示物に対応する凹部を有し、該凹部の深さが最も大きくなる部位にエア抜き用のベントホールを有することが好ましい。上述のような構造を有する突起状表示物をサイドウォール部の外表面に成形する場合、加硫時に凹部の深さが最も大きくなる部位にエアが残留し易くなるが、その部位にエア抜き用のベントホールを配置することにより、凹部内に残留するエアをより確実に排出し、外観不良の発生を低減することができる。
【図面の簡単な説明】
【００１５】
【図１】本発明の実施形態からなる空気入りタイヤを示す子午線半断面図である。
【図２】本発明の実施形態からなる空気入りタイヤを示す側面図である。
【図３】本発明の実施形態からなる空気入りタイヤの要部を示す断面図である。
【図４】本発明の実施形態からなる空気入りタイヤの要部を示す側面図である。
【図５】本発明における突起状表示物の変形例を示す断面図である。
【図６】本発明における突起状表示物の変形例を示す側面図である。
【図７】本発明で使用されるタイヤ成形用金型の一例を示す断面図である。
【発明を実施するための形態】
【００１６】
以下、本発明の構成について添付の図面を参照しながら詳細に説明する。図１〜図４は本発明の実施形態からなる空気入りタイヤを示すものである。図１において、ＣＬはタイヤ赤道であり、ＰＷはタイヤ最大幅位置である。
【００１７】
図１に示すように、本実施形態の空気入りタイヤは、タイヤ周方向に延在して環状をなすトレッド部１と、該トレッド部１の両側に配置された一対のサイドウォール部２，２と、これらサイドウォール部２のタイヤ径方向内側に配置された一対のビード部３，３とを備えている。
【００１８】
一対のビード部３，３間にはカーカス層４が装架されている。このカーカス層４は、タイヤ径方向に延びる複数本の補強コードを含み、各ビード部３に配置されたビードコア５の廻りにタイヤ内側から外側へ折り返されている。ビードコア５の外周上には断面三角形状のゴム組成物からなるビードフィラー６が配置されている。
【００１９】
一方、トレッド部１におけるカーカス層４の外周側には複数層のベルト層７が埋設されている。これらベルト層７はタイヤ周方向に対して傾斜する複数本の補強コードを含み、かつ層間で補強コードが互いに交差するように配置されている。ベルト層７において、補強コードのタイヤ周方向に対する傾斜角度は例えば１０°〜４０°の範囲に設定されている。ベルト層７の補強コードとしては、スチールコードが好ましく使用される。ベルト層７の外周側には、高速耐久性の向上を目的として、補強コードをタイヤ周方向に対して例えば５°以下の角度で配列してなる少なくとも１層のベルトカバー層８が配置されている。ベルトカバー層８の補強コードとしては、ナイロンやアラミド等の有機繊維コードが好ましく使用される。
【００２０】
なお、上述したタイヤ内部構造は空気入りタイヤにおける代表的な例を示すものであるが、これに限定されるものではない。
【００２１】
上記空気入りタイヤにおいて、図１〜図４に示すように、少なくとも一方のサイドウォール部２の外表面には突起状表示物１０がその外表面から突出するように形成されている。より具体的には、突起状表示物１０はタイヤ最大幅位置ＰＷよりもタイヤ径方向外側の領域とタイヤ最大幅位置ＰＷよりもタイヤ径方向内側の領域にそれぞれ配置されている。図２に示すように、タイヤ最大幅位置ＰＷよりもタイヤ径方向外側の領域に形成された突起状表示物１０は例えば「Ａ」という文字を現すものであり、タイヤ最大幅位置ＰＷよりもタイヤ径方向内側の領域に形成された突起状表示物１０は例えば「Ｘ」という文字を現すものである。突起状表示物１０は「Ａ」や「Ｘ」に代表される文字のほか、各種の記号や図形を現すことが可能であり、通常、それらの文字、記号及び／又は図形の集合体がブランドネームやプロダクトネームを構成する。
【００２２】
ここで、突起状表示物１０がタイヤ最大幅位置ＰＷよりもタイヤ径方向外側に位置する場合は、突起状表示物１０の突出高さＨがタイヤ径方向外側に向かって漸増する構造とし、その結果、突起状表示物１０の最もタイヤ径方向内側の位置で突出高さＨが最小値となり、突起状表示物１０の最もタイヤ径方向外側の位置で突出高さＨが最大値となる。一方、突起状表示物１０がタイヤ最大幅位置ＰＷよりもタイヤ径方向内側に位置する場合は、突起状表示物１０の突出高さＨがタイヤ径方向内側に向かって漸増する構造とし、その結果、突起状表示物１０の最もタイヤ径方向外側の位置で突出高さＨが最小値となり、突起状表示物１０の最もタイヤ径方向内側の位置で突出高さＨが最大値となる。また、各突起状表示物１０において、突出高さＨは０．３ｍｍ〜５．０ｍの範囲に設定され、突出高さＨの変化量（突出高さＨの最小値と最大値との差）は０．３ｍｍ以上となるように設定されている。
【００２３】
上述した空気入りタイヤでは、サイドウォール部２の外表面に突起状表示物１０を設けるにあたって、突起状表示物１０がタイヤ最大幅位置ＰＷよりもタイヤ径方向外側に位置する場合は、突起状表示物１０の突出高さＨがタイヤ径方向外側に向かって漸増し、突起状表示物１０がタイヤ最大幅位置ＰＷよりもタイヤ径方向内側に位置する場合は、突起状表示物１０の突出高さＨがタイヤ径方向内側に向かって漸増する構造を採用することにより、サイドウォール部２のタイヤ最大幅位置ＰＷ付近におけるゴム容量のタイヤ周方向の不均一性が低減されるので、空気入りタイヤが転動する際に、サイドウォール部２のタイヤ最大幅位置ＰＷ付近において相対的に大きな歪を生じても、突起状表示物１０の近傍での応力集中を回避し、ひび割れの発生を効果的に抑制することができる。つまり、相対的に大きな歪を生じるサイドウォール部２のタイヤ最大幅位置ＰＷ付近において突起状表示物１０の突出高さＨが大きく設定されていると、経年劣化に伴って突起状表示物１０の近傍にひび割れを生じ易くなるが、突起状表示物１０の突出高さＨをサイドウォール部２のタイヤ最大幅位置ＰＷ付近において相対的に小さくすることで、ひび割れの発生を極力回避することができる。
【００２４】
また、突起状表示物１０はタイヤ最大幅位置ＰＷから遠い側ほど高くなった構造を有しているので、サイドウォール部２に形成された突起状表示物１０を視認する際に視認者からの俯角が大きくなり、しかも突起状表示物１０の陰が形成される方向に向かって突起状表示物１０による段差が大きくなるため、突起状表示物１０の視認性を良好に維持することができる。これにより、突起状表示物１０の視認性を良好に維持しながら、突起状表示物１０の近傍でのひび割れの発生を効果的に抑制することが可能になる。
【００２５】
上記空気入りタイヤにおいて、突起状表示物１０の突出高さＨは０．３ｍｍ〜５．０ｍの範囲にあることが必要である。突起状表示物１０の突出高さＨが０．３ｍｍよりも小さいと視認性が低下し、逆に５．０ｍよりも大きいとひび割れを生じ易くなって耐クラック性が低下する。また、突起状表示物１０の突出高さＨの変化量は０．３ｍｍ以上であることが必要である。突起状表示物１０の突出高さＨの変化量が０．３ｍｍよりも小さいと視認性と耐クラック性とを両立させる効果が不十分になる。
【００２６】
図２〜図４に示すように、上記空気入りタイヤにおいては、サイドウォール部２における突起状表示物１０と隣接する部位に、互いに平行に延在する複数本の凹溝１１を含むセレーション加工部１２が形成されている。凹溝１１はタイヤ径方向に延在することが望ましいが、タイヤ径方向に対して平行であっても良く、或いは、タイヤ径方向に対して傾斜していても良い。セレーション加工部１２を構成する凹溝１１の深さｈは突起状表示物１０の突出高さＨとは逆の関係となるようにタイヤ径方向内側又は外側に向かって漸増している。つまり、図３に示すように、突起状表示物１０の突出高さＨが相対的に大きい部位では凹溝１１の深さｈが相対的に小さくなっており、突起状表示物１０の突出高さＨが相対的に小さい部位では凹溝１１の深さｈが相対的に大きくなっている。
【００２７】
このように突起状表示物１０の突出高さＨの増減とセレーション加工部１２を構成する凹溝１１の深さｈの増減とを逆の関係にすることにより、突起状表示物１０の突出高さＨが相対的に小さい部位ではセレーション加工部１２による陰が濃くなり、突起状表示物１０の突出高さＨが相対的に大きい部位ではセレーション加工部１２による陰が淡くなるため、突起状表示物１０の突出高さＨを局所的に小さくした場合であっても、突起状表示物１０の視認性を高めることができる。この場合、凹溝１１の深さｈは０．２ｍｍ〜１．５ｍの範囲であり、凹溝１１の深さｈの変化量（深さｈの最小値と最大値との差）は０．２ｍｍ以上であると良い。
【００２８】
図５及び図６は本発明における突起状表示物の変形例を示すものである。図５及び図６において、突起状表示物１０はその縁部に沿って形成された輪郭部１０１と該輪郭部１０１により囲まれていて該輪郭部１０１から窪んだ表示面１０２とから構成されている。輪郭部１０１は表示面１０２よりも突出しているため、突起状表示物１０の視認性を高める効果を有している。突起状表示物が輪郭部と表示面とを有する場合においても、突起状表示物の視認性を良好に維持しながら、突起状表示物の近傍でのひび割れの発生を効果的に抑制することができる。
【００２９】
上述した各実施形態では、突起状表示物１０がタイヤ最大幅位置ＰＷよりもタイヤ径方向外側の領域又はタイヤ最大幅位置ＰＷよりもタイヤ径方向内側の領域に収まるように配置される場合について説明したが、突起状表示物１０はタイヤ最大幅位置ＰＷを跨ぐように配置されていても良い。そのような場合、突起状表示物１０はタイヤ最大幅位置ＰＷからタイヤ径方向に延在する部分の長さが大きい側に所属するものと解釈される。例えば、タイヤ最大幅位置ＰＷを境として突起状表示物１０のタイヤ径方向外側に延在する部分の長さがタイヤ径方向内側に延在する部分の長さよりも大きい場合、突起状表示物１０の突出高さＨがタイヤ径方向外側に向かって漸増する構造とれば良い。
【００３０】
図７は本発明で使用されるタイヤ成形用金型の一例を示すものである。図７に示すように、空気入りタイヤＴを成形するための金型２０は、タイヤＴのサイドウォール部を成形するための下側サイドプレート２１及び上側サイドプレート２２と、タイヤＴのビード部を成形するための下側ビードリング２３及び上側ビードリング２４と、タイヤＴのトレッド部を成形するための複数のセクターモールド２５とを備えている。そして、金型２０のタイヤＴに対して当接する面が成形面２６となっている。
【００３１】
図７において、金型２０を構成する下側サイドプレート２１及び上側サイドプレート２２の各々は、その成形面２６に突起状表示物１０に対応する凹部３０を有し、各凹部３０の深さが最も大きくなる部位にエア抜き用のベントホール３１が形成されている。上述のような構造を有する突起状表示物１０をサイドウォール部２の外表面に成形する場合、加硫時に凹部３０の深さが最も大きくなる部位にエアが残留し易くなる。しかしながら、凹部３０の深さが最も大きくなる部位にエア抜き用のベントホール３１を配置することにより、凹部３０内に残留するエアをより確実に排出し、外観不良の発生を低減することができる。
【００３２】
なお、図７に描写される金型２０はセクショナルタイプの金型であるが、本発明は二つ割りタイプの金型に対しても適用可能であることは言うまでもない。
【実施例】
【００３３】
タイヤサイズが２５５／６０Ｒ１８である空気入りタイヤにおいて、サイドウォール部の外表面におけるタイヤ最大幅位置よりもタイヤ径方向外側の領域とタイヤ最大幅位置よりもタイヤ径方向内側の領域にそれぞれ突起状表示物を形成すると共に、タイヤ最大幅位置よりもタイヤ径方向外側の領域において突起状表示物と隣接する部位に複数本の凹溝を含むセレーション加工部を形成し、これら突起状表示物及びセレーション加工部の凹溝の寸法を表１のように設定した従来例１、比較例１〜４及び実施例１〜５の空気入りタイヤを作製した。
【００３４】
タイヤ最大幅位置よりもタイヤ径方向外側の領域に配置される外側の突起状表示物としては、タイヤ径方向の寸法が２４ｍｍである「ＹＯＫＯＨＡＭＡ」という文字を形成した。外側の突起状表示物について、タイヤ径方向最外側位置での突出高さをＨ１とし、タイヤ最大幅位置に近いタイヤ径方向最内側位置での突出高さをＨ２とした。セレーション加工部の凹溝について、外側の突起状表示物のタイヤ径方向最外側位置での深さをｈ１とし、外側の突起状表示物のタイヤ径方向最内側位置での深さをｈ２とした。また、タイヤ最大幅位置よりもタイヤ径方向内側の領域に配置される内側の突起状表示物としては、タイヤ径方向の寸法が１０ｍｍである「２５５／６０Ｒ１８」という文字を形成した。内側の突起状表示物について、タイヤ径方向最内側位置での突出高さをＨ１'とし、タイヤ最大幅位置に近いタイヤ径方向最外側位置での突出高さをＨ２'とした。また、突起状表示物の種類としては、図４のようなベタ文字又は図６のような縁取り文字を採用した。
【００３５】
これら試験タイヤについて、下記試験方法により、視認性、耐クラック性を評価し、その結果を表１に併せて示した。
【００３６】
視認性：
各試験タイヤをリムサイズ１８×８Ｊのホイールに組み付けて空気圧を２３０ｋＰａとした状態で、１０人の評価者により突起状表示物の視認性を評価した。評価方法としては、各人が従来例１の突起状表示物の記述内容を判別できる距離を１点とした際に、同距離にて従来例１よりも記述内容が不明瞭であると感じられた場合を０点とし、同距離にて従来例１よりも記述内容が明瞭であると感じられた場合を２点とし、１０人の評価者の合計点を求めた。この評価点が大きいほど視認性が優れていることを意味する。
【００３７】
耐クラック性：
各試験タイヤをリムサイズ１８×８Ｊのホイールに組み付けて空気圧を１００ｋＰａとしてドラム径１７０７ｍｍの室内ドラム試験機に取り付け、速度８０ｋｍ／ｈ、荷重８．１ｋＮの条件で、試験タイヤのサイドウォール部の外表面から１０ｍｍの位置にて濃度１００ｐｐｈｍのオゾンを照射しながら５０時間走行させ、走行後のクラック発生個数を測定した。評価結果は、測定値の逆数を用い、従来例１を１００とする指数にて示した。この指数値が大きいほど、クラックの発生個数が少なく、耐クラック性が優れていることを意味する。
【００３８】
【表１】
2017132421.tif 000003
【００３９】
表１から明らかなように、実施例１〜５のタイヤは、従来例１との対比において、いずれも突起状表示物の視認性が良好であり、しかも耐クラック性が優れていた。これに対して、比較例１のタイヤは、突起状表示物の突出高さを一様に小さくしているため、耐クラック性は良好であるものの、突起状表示物の視認性が悪化していた。比較例２のタイヤは、突起状表示物の突出高さを一様に大きくしているため、突起状表示物の視認性は良好であるものの、耐クラック性が悪化していた。比較例３のタイヤは、外側の突起状表示物のタイヤ径方向最内側位置での突出高さＨ２が小さ過ぎるため、突起状表示物の視認性が悪化していた。比較例４のタイヤは、外側の突起状表示物のタイヤ径方向最外側位置での突出高さＨ１が大き過ぎるため、耐クラック性が悪化していた。
【符号の説明】
【００４０】
１  トレッド部
２  サイドウォール部
３  ビード部
１０  突起状表示物
１１  凹溝
１２  セレーション加工部
１０１  輪郭部
１０２  表示面
２０  金型
２６  成形面
３０  凹部
３１  ベントホール
【図１】
2017132421.tif 000004
【図２】
2017132421.tif 000005
【図３】
2017132421.tif 000006
【図４】
2017132421.tif 000007
【図５】
2017132421.tif 000008
【図６】
2017132421.tif 000009
【図７】
2017132421.tif 000010